(57)【要約】【課題】吐水部内に流入した水が、吐水部側から内側部材と外側部材との間を通って吐水装置外に漏れることを、より確実に防止することができる吐水装置を提供することを課題とする。【解決手段】吐水装置１は、筒状に構成されホース１０に接続される内側部材２と、筒状に構成され内側部材２の外側に配置される外側部材４と、外側部材４に接続され内側部材２の下流側の開口２ｂから流出してその内部に流入した水が吐水孔５３から吐水されるように構成される吐水部５と、内側部材２と外側部材４との間に配置されるＵパッキン６と、Ｕパッキン６よりも上流側において内側部材２と外側部材４との間に配置されて外側部材４の上流側の開口４ａから内側部材２と外側部材４との間に入り込んでＵパッキン６が配置される所まで異物が侵入することを防止する異物侵入防止部材７と、を備える。【選択図】図１
2013226250.tif 000002
【特許請求の範囲】
【請求項１】
ホースに取付けられて、前記ホースから供給される水を吐水する吐水装置であって、
筒状に構成され、前記ホースに接続される内側部材と、
筒状に構成され、前記内側部材の外側に配置される外側部材と、
前記外側部材に接続され、前記内側部材の下流側の開口から流出してその内部に流入した水が前記吐水孔から吐水されるように構成される吐水部と、
前記内側部材と前記外側部材との間に配置されるＵパッキンと、
前記Ｕパッキンよりも上流側において前記内側部材と前記外側部材との間に配置されて、前記外側部材の上流側の開口から前記内側部材と前記外側部材との間に入り込んで前記Ｕパッキンが配置される所まで異物が侵入すること、を防止する異物侵入防止部材と、を備える、
吐水装置。
【請求項２】
前記異物侵入防止部材は、リップパッキンで構成される、
請求項１に記載の吐水装置。
【請求項３】
前記異物侵入防止部材は、前記Ｕパッキンと同一仕様のもので構成される、
請求項２に記載の吐水装置。
【発明の詳細な説明】
【技術分野】
【０００１】
本発明は、吐水装置の技術に関する。
【背景技術】
【０００２】
従来、ホースに取付けられて、ホースから供給される水を吐水する吐水装置は、種々知られている。
前記吐水装置には、例えば、シャワーヘッドや各種ノズル等がある。
【０００３】
また、前記吐水装置には、筒状に構成されホースに接続される内側部材と、筒状に構成され内側部材の外側に配置される外側部材と、外側部材に接続され内側部材の下流側の開口から流出してその内部に流入した水が吐水孔から吐水されるように構成される吐水部と、を備えるものが公知となっている（特許文献１参照）。
前記吐水装置がシャワーヘッドである場合には、その吐水部は、外側部材に接続される接続部と、複数個の吐水孔が形成されて水をシャワー状に吐水する吐水板と、を有する、シャワーヘッドのヘッド部として構成される。
【０００４】
さらに、前記吐水装置には、Ｕパッキンを備えるものがある。
前記吐水装置のＵパッキンは、吐水装置の水漏れを防止するものであり、溝部とリップ部とを有する断面略Ｕ字状の環状の部材である。
そして、前記吐水装置は、内側部材と外側部材との間にＵパッキンが配置されて、ホースから内側部材を介して吐水部内に流入した水が、吐水部側から内側部材と外側部材との間を通って、吐水装置外に漏れることを防止するように構成される。
【先行技術文献】
【特許文献】
【０００５】
【特許文献１】特開平１１−１０４５２３号公報
【発明の概要】
【発明が解決しようとする課題】
【０００６】
しかしながら、前記吐水装置では、その吐水部の吐水孔から吐水された水に異物（例えば、毛、塵、または、ゴミ等）が混入したものが、外側部材の上流側の開口から吐水装置内に入り込んでくる場合がある。
そして、前記吐水装置では、前記水に異物が混入したものが吐水装置内に入り込むことによって、当該水に混入した異物が内側部材と外側部材との間に入り込み、内側部材とＵパッキンとの間、または、外側部材とＵパッキンとの間に次第に挟まっていく場合がある。
このように前記吐水装置における内側部材とＵパッキンとの間または外側部材とＵパッキンとの間に異物が挟まると、Ｕパッキンのリップ部が内側部材の外面と外側部材の内面とに十分にリップせず、Ｕパッキンによる水漏れ防止機能が十分に機能しなくなる。
つまり、このように前記吐水装置における内側部材とＵパッキンとの間または外側部材とＵパッキンとの間に異物が挟まると、内側部材から吐水部内に流入した水が、吐水部側から内側部材と外側部材との間（隙間）を通って、吐水装置外に（外側部材の上流側の開口から）漏れることとなる。
【０００７】
本発明は以上の如き状況に鑑みてなされたものであり、吐水部内に流入した水が吐水部側から内側部材と外側部材との間を通って吐水装置外に漏れることをより確実に防止することができる吐水装置を提供することを課題とする。
【課題を解決するための手段】
【０００８】
本発明の解決しようとする課題は以上の如くであり、次にこの課題を解決するための手段を説明する。
【０００９】
即ち、請求項１においては、ホースに取付けられて、前記ホースから供給される水を吐水する吐水装置であって、筒状に構成され、前記ホースに接続される内側部材と、筒状に構成され、前記内側部材の外側に配置される外側部材と、前記外側部材に接続され、前記内側部材の下流側の開口から流出してその内部に流入した水が吐水孔から吐水されるように構成される吐水部と、前記内側部材と前記外側部材との間に配置されるＵパッキンと、前記Ｕパッキンよりも上流側において前記内側部材と前記外側部材との間に配置されて、前記外側部材の上流側の開口から前記内側部材と前記外側部材との間に入り込んで前記Ｕパッキンが配置される所まで異物が侵入すること、を防止する異物侵入防止部材と、を備えるものである。
【００１０】
請求項２においては、前記異物侵入防止部材は、リップパッキンで構成されるものである。
【００１１】
請求項３においては、前記異物侵入防止部材は、前記Ｕパッキンと同一仕様のもので構成されるものである。
【発明の効果】
【００１２】
本発明の効果として、以下に示すような効果を奏する。
【００１３】
即ち、本発明によれば、吐水部内に流入した水が吐水部側から内側部材と外側部材との間を通って吐水装置外に漏れることをより確実に防止することができる。
【図面の簡単な説明】
【００１４】
【図１】本発明の実施形態に係る吐水装置を示した断面図。
【図２】本発明の実施形態に係る吐水装置を示した拡大断面図。
【図３】本発明の別実施麗に係る吐水装置を示した拡大断面図。
【図４】同じく拡大断面図。
【発明を実施するための形態】
【００１５】
次に、本発明に係る吐水装置１について、図１から図４を用いて説明する。
なお以下においては、図示下方を上流側、図示上方を下流側として説明する。
【００１６】
吐水装置１は、ホース１０に取付けられて、ホース１０から供給される水を吐水するものである。吐水装置１には、例えば、シャワーヘッドや各種吐水ノズル等がある。シャワーヘッドには、吐水方式を、シャワー、ストレート、または、泡沫等のように切換可能なものも含まれる。
以下においては、吐水装置１は、理美容シャワーヘッドであるものとして説明する。
【００１７】
吐水装置１は、図１または図２に示すように、内側部材２と、ホース留め部材３と、外側部材４と、吐水部５と、Ｕパッキン６と、異物侵入防止部材７と、を備え、シャワー状の水を吐水可能に構成される。
吐水装置１は、内側部材２（内側部材２およびホース１０）に対して、外側部材４と吐水部５とが一体となって回動可能に構成される。
【００１８】
吐水装置１の内側部材２は、略筒状に構成される。
内側部材２は、外側部材４の内側に配置される。
内側部材２は、その上流側部がホース１０の吐水口に嵌挿されて、ホース１０に接続される。
内側部材２は、ホース１０から供給される水がその上流側の開口２ａから内側部材２の内部に流入するとともに、当該内側部材２の内部に流入した水が内側部材２の下流側の開口２ｂから流出するように、構成される。
【００１９】
内側部材２は、フランジ２１と、上流側溝２２と、下流側溝２３と、を有して構成される。
内側部材２のフランジ２１は、内側部材２の上流側部（ホース１０に嵌挿される部分）に近接するようにして当該上流側部の直下流側に形成される。
【００２０】
吐水装置１における内側部材２の上流側溝２２は、内側部材２の中途部の外周面に形成される環状の溝である。内側部材２の上流側溝２２は、異物侵入防止部材７を配置可能に構成される。
内側部材２の上流側溝２２は、フランジ２１に近接するようにしてフランジ２１の直下流側に形成される。上流側溝２２は、内側部材２の中途部において下流側溝２３よりも上流側（ホース１０側）に形成される。
【００２１】
吐水装置１における内側部材２の下流側溝２３は、内側部材２の中途部の外周面に形成される環状の溝である。内側部材２の下流側溝２３は、Ｕパッキン６を配置可能に構成される。
内側部材２の下流側溝２３は、内側部材２の中途部において上流側溝２２よりも下流側（吐水部５側）に形成される。
【００２２】
吐水装置１のホース留め部材３は、前記内側部材２の上流側部がホース１０の吐水口に嵌挿された状態で内側部材２を留める（内側部材２がホース１０から抜け落ちないようにする）ものである。
ホース留め部材３は、リング状に構成される。
ホース留め部材３は、内側部材２の上流側部がホース１０の吐水口に嵌挿された状態で、当該ホース１０における内側部材２の上流側部が嵌挿される部分の外側に配置される。
【００２３】
吐水装置１の外側部材４は、略筒状に構成される。
外側部材４は、その中途部の内経が内側部材２の中途部（内側部材２の中途部における上流側溝２２および下流側溝２３が形成されていない部分）の外径と略同一に形成されて構成される。
外側部材４は、その上流側部の内経がその中途部の内経よりも大きく形成され、その下流側部の内経がその中途部の内経よりも小さく形成されて、構成される。
外側部材４は、その中途部と上流側部との境界部分（中途部と上流側部との境界の角部）にＣ面取りが施されて構成される。
【００２４】
吐水装置１の外側部材４は、外側部材４と内側部材２との軸心を一致するようにして外側部材４の上流側の開口４ａ側から内側部材２が嵌挿されて、内側部材２の外側に配置される。このとき、吐水装置１は、外側部材４が内側部材２の外周面（少なくとも内側部材２の中途部の外周面）を覆うように配置されるとともに、内側部材２の下流側の開口２ｂが外側部材４の下流側の開口４ｂから下流側に突出するようして構成される。
外側部材４は、前記内側部材２が嵌挿された状態で、内側部材２に対して周方向に回動可能に構成される。
外側部材４は、その下流側の開口４ｂ（下流側の開口部）に吐水部５が接続される。
【００２５】
吐水装置１の吐水部５は、シャワーヘッドのヘッド部であり、外側部材４に接続される。
吐水部５は、ホース１０から内側部材２に供給されて内側部材２の下流側の開口２ｂから流出して吐水部５の内部に流入した水がその吐水孔５３から吐水されるように構成される。
吐水部５は、その内部が中空状に形成され、接続部５１と、吐水板５２と、を有して構成される。
吐水部５の接続部５１は、外側部材４に接続される部分であり、外側部材４の下流側の開口４ｂ（下流側の開口部）が螺合可能に構成される。吐水部５の吐水板５２は、複数個の吐水孔５３が形成されて水をシャワー状に吐水するように構成される。
吐水装置１は、吐水部５の接続部５１が外側部材４に接続された状態で、内側部材２の下流側の開口２ｂが吐水部５内に位置し、内側部材２における下流側の開口２ｂ近傍の外面にはワッシャ２４およびスナップリング２５が設けられて構成される。
このようにして、吐水部５は、ホース１０から内側部材２に供給されて内側部材２の下流側の開口２ｂから流出して吐水部５の内部に流入した水がその吐水孔５３から吐水されるように構成される。
【００２６】
吐水装置１のＵパッキン６は、吐水装置１の水漏れを防止するものである。
Ｕパッキン６は、ホース１０から内側部材２を介して吐水部５内に流入した水が、吐水部５側から内側部材２と外側部材４との間（隙間）を通って、吐水装置１外に（外側部材４の上流側の開口４ａから）漏れることを防止するように構成される。
【００２７】
吐水装置１のＵパッキン６は、断面略Ｕ字状の環状の部材であり、溝部６１と、リップ部６２と、を有する。
Ｕパッキン６の溝部６１は、環状の溝であり、その軸心方向一方側（下流側）の面に形成される。
Ｕパッキン６のリップ部６２は、その溝部６１の半径方向の外側部分と内側部分とでそれぞれ構成される。
【００２８】
吐水装置１のＵパッキン６は、内側部材２と外側部材４との間（内側部材２の外面と外側部材４の内面との間）に配置される。Ｕパッキン６は、内側部材２の中途部の外面と外側部材４の中途部の内面とにそのリップ部６２がそれぞれ当接するように配置される。
Ｕパッキン６は、内側部材２の下流側溝２３に配置される。
Ｕパッキン６は、異物侵入防止部材７よりも下流側（吐水部５側）に配置される。
Ｕパッキン６は、その溝部６１の開口側が吐水部５側（下流側）を向くようにして配置される。
【００２９】
吐水装置１のＵパッキン６は、その溝部６１が吐水部５側からの水圧を受けることによって、そのリップ部６２が外側に開くようにして内側部材２の外面（内側部材２の下流側溝２３の外面）と外側部材４の内面とをそれぞれ押圧し、内側部材２と外側部材４との間を水密するように構成される。
なお、吐水装置１は、このようにＵパッキン６が配置された状態においても、外側部材４と吐水部５とが一体となって、内側部材２に対して周方向に回動可能（重回動可能）に構成される。
【００３０】
吐水装置１の異物侵入防止部材７は、異物（例えば、毛、塵、または、ゴミ等）が、外側部材４の上流側の開口４ａ（吐水部５側と反対側の開口）から内側部材２と外側部材４との間に入り込んで、Ｕパッキン６が配置される所まで（内側部材２と外側部材４との間におけるＵパッキン６が配置される部分に）侵入すること、を防止するものである。
異物侵入防止部材７は、内側部材２と外側部材４との間（内側部材２の外面と外側部材４の内面との間）に配置される。
異物侵入防止部材７は、内側部材２の上流側溝２２に配置される。
異物侵入防止部材７は、Ｕパッキン６よりも上流側（外側部材４の上流側の開口４ａ側）に配置される。異物侵入防止部材７は、Ｕパッキン６よりもホース１０側に配置される。
【００３１】
以上のように、吐水装置１は、Ｕパッキン６よりも上流側において内側部材２と外側部材４との間に配置されて、外側部材４の上流側の開口４ａから内側部材２と外側部材４との間に入り込んでＵパッキン６が配置される所まで異物が侵入すること、を防止する異物侵入防止部材７を備える。
このため、吐水装置１では、異物が、外側部材４の上流側の開口４ａから内側部材２と外側部材４との間に入り込んで、内側部材２とＵパッキン６との間、または、外側部材４とＵパッキン６との間に挟まることとを抑制することができる。
したがって、吐水装置１によれば、吐水部５内に流入した水が、吐水部５側から吐水部５側から内側部材２と外側部材４との間（隙間）を通って、吐水装置１外に（外側部材４の上流側の開口４ａから）漏れることをより確実に防止することができる。
【００３２】
ここで、ヘッド部（吐水部５）が内側部材２に対して回動しない構成の理美容シャワーヘッド（吐水装置１）では、これを用いて洗髪施術を行う作業が億劫になる。このため、理美容シャワーヘッド（吐水装置１）には、内側部材２に対してヘッド部（吐水部５）を回動させるために、水漏れ防止部材としてＯリングを用いずにこれよりも摺動抵抗が少ないＵパッキン等のリップパッキンを備えるものがある。
【００３３】
吐水装置１の異物侵入防止部材７は、Ｕパッキン（リップパッキン）で構成される。
異物侵入防止部材７は、断面略Ｕ字状の環状の部材であり、溝部７１と、リップ部７２と、を有する。
異物侵入防止部材７の溝部７１は、環状の溝であり、その軸心方向一方側（下流側）の面に形成される。
異物侵入防止部材７のリップ部７２は、その溝部７１の半径方向の外側部分と内側部分とでそれぞれ構成される。
【００３４】
吐水装置１の異物侵入防止部材７は、内側部材２と外側部材４との間（内側部材２の外面と外側部材４の内面との間）に配置される。異物侵入防止部材７は、内側部材２の中途部の外面と外側部材４の中途部の内面とにそのリップ部７２がそれぞれ当接するように配置される。
異物侵入防止部材７は、その溝部７１側が外側部材４の上流側の開口４ａ側（下流側）を向くようにして配置される。
【００３５】
吐水装置１の異物侵入防止部材７は、その溝部７１が外側部材４の上流側からの水圧を受けることによって、そのリップ部７２が外側に開くようにして内側部材２の外面（内側部材２の下流側溝２３の外面）と外側部材４の内面とをそれぞれ押圧し、内側部材２と外側部材４との間をシールするように構成される。
吐水装置１は、このように異物侵入防止部材７が配置された状態においても、外側部材４と吐水部５とが一体となって、内側部材２に対して周方向に回動可能（重回動可能）に構成される。
【００３６】
以上のように、吐水装置１の異物侵入防止部材７はＯリングに比べて摺動抵抗が少ないＵパッキン（リップパッキン）で構成される。
そして、吐水装置１では、異物侵入防止部材７によって内側部材２と外側部材４との間をシールされて、異物が、外側部材４の上流側の開口４ａから内側部材２と外側部材４との間に入り込んで、内側部材２とＵパッキン６との間、または、外側部材４とＵパッキン６との間に挟まることとを抑制することができる。
したがって、吐水装置１によれば、吐水部５内に流入した水が、吐水部５内側部材２と外側部材４との間（隙間）を通って、吐水装置１外に（外側部材４の上流側の開口４ａから）漏れることをより確実に防止することができるとともに、内側部材２に対して外側部材４と吐水部５とを容易に回動させることができる。
よって、吐水装置１では、これを用いて洗髪施術を行う作業が億劫にならなる。
【００３７】
なおこのとき、吐水装置１の異物侵入防止部材７は、Ｕパッキンの他に、例えば、ＹパッキンまたはＶパッキン等のＯリングに比べて摺動抵抗が少ないリップパッキンで構成することもできる（図３または図４参照）。
【００３８】
また、吐水装置１の異物侵入防止部材７は、Ｕパッキン６と同一仕様のＵパッキンで構成される。
このため、吐水装置１では、Ｕパッキン６を異物侵入防止部材７として流用することができる。
したがって、吐水装置１によれば、Ｕパッキン６と異物侵入防止部材７とが別仕様（異物侵入防止部材７が専用品）のものに比べて、吐水装置１の必要部品の種類数が少なくなり、吐水装置１の部品管理が容易になり、また、吐水装置１を安価に構成することができる。
【００３９】
吐水装置１における内側部材２の上流側溝２２は、その溝幅が異物侵入防止部材７における軸心方向の厚み（高さ）よりも大きく構成される。
異物侵入防止部材７は、その上流側端（リップパッキンのリップ部７２の先端）が、外側部材４の中途部と上流側部との境界部分よりも下流側に位置するように配置される。
【００４０】
このようにして、吐水装置１は、異物侵入防止部材７の上流側端（リップパッキンのリップ部７２の先端）が内側部材２の中途部の外面と外側部材４の中途部の内面とにそれぞれ当接するように異物侵入防止部材７が配置されて、構成される。
そして、吐水装置１は、異物侵入防止部材７の上流側端が内側部材２の中途部の外面と外側部材４の中途部の内面とにそれぞれ当接するため、異物侵入防止部材７の内側の面（内側のリップ部７２の内側の面）と内側部材２の外面との間、および、異物侵入防止部材７の外側の面（外側のリップ部７２の外側の面）と外側部材４の内面との間、に異物が入り込むことを、より確実に防止することができる。
【符号の説明】
【００４１】
１    吐水装置
２    内側部材
２ａ  上流側の開口
２ｂ  下流側の開口
４    外側部材
４ａ  上流側の開口
４ｂ  下流側の開口
５    吐水部
６    Ｕパッキン
７    異物侵入防止部材
１０  ホース
５３  吐水孔
【図１】
2013226250.tif 000003
【図２】
2013226250.tif 000004
【図３】
2013226250.tif 000005
【図４】
2013226250.tif 000006